(57)【要約】【課題】  施錠機構が解錠の状態の場合に、速やかに、且つ確実にユーザへ施錠機構が解錠の状態であることを報知することが可能な施錠監視システム等を提供する。【解決手段】  施錠監視システム１は、第１の施錠機構の施錠状態を示す第１の施錠信号１０１を受信するのに応じて、第１の施錠信号１０１を送信する第１の通知部３との通信可能な範囲内において第１の施錠信号１０１を受信するのに応じて、第１の施錠信号１０１を第１の記憶部４に保持し、第２の施錠機構の施錠状態を示す第２の施錠信号１０２の有無を判別し、第２の施錠信号１０２が有った場合に、第２の施錠信号１０２を送信する制御部２とを備え、第１の通知部３は、第２の施錠信号１０２に基づいて、第２の施錠機構が解錠状態である場合に、報知する第１の提示部５を備える。【選択図】      図１
2014001520.tif 000002
【特許請求の範囲】
【請求項１】
第１の施錠機構の施錠状態を示す第１の施錠信号を受信するのに応じて、前記第１の施錠信号を送信する第１の通知部と、
前記第１の通知部との通信可能な範囲内において前記第１の施錠信号を受信するのに応じて、前記第１の施錠信号を第１の記憶部に保持し、該第１の記憶部に前記第１の施錠機構と異なる第２の施錠機構の施錠状態を示す第２の施錠信号の有無を判別し、前記第２の施錠信号が有った場合に、前記第２の施錠信号を送信する制御部とを備え、
前記第１の通知部は、
前記第２の施錠信号に基づいて、前記第２の施錠機構の施錠状態を判別し、解錠状態である場合に、前記第２の施錠機構が解錠状態であることを報知する第１の提示部を備えることを特徴とする施錠監視システム。
【請求項２】
前記第１の通知部は、
前記第１の施錠信号を受信するのに応じて前記第１の施錠信号を保持し、
前記第２の施錠信号と該第２の施錠信号の受信状態とを保持する第２の記憶部を含み、
前記第１の通知部は、
前記制御部との通信可能な範囲外において、前記第２の記憶部に保持した前記第１の施錠信号に基づいて、前記第１の施錠機構の施錠状態を判別し、解錠状態である場合に、前記第１の施錠機構が解錠状態であることを報知することを特徴とする請求項１に記載の施錠監視システム。
【請求項３】
前記第１の提示部は、
警告音によって、前記第１及び前記第２の施錠機構の解錠状態を報知することを特徴とする請求項１または請求項２に記載の施錠監視システム。
【請求項４】
前記施錠監視システムは、
前記第１の通知部と異なる１つ乃至複数の通知部を有することを特徴とする請求項１乃至請求項３の何れかに記載の施錠監視システム。
【請求項５】
前記第１及び前記第２の施錠信号は、
施錠機構の施錠または解錠の何れか一方の施錠状態を示すことを特徴とする請求項１乃至請求項４の何れかに記載の施錠監視システム。
【請求項６】
前記施錠監視システムは、
前記第１の通知部と異なる前記通知部から前記第２の施錠信号を取得することを特徴とする請求項４に記載の施錠監視システム。
【請求項７】
前記第１の通知部は、車両に設置した際に、インジケータを点灯することよって前記第１の施錠機構が解錠状態を報知することを特徴とする請求項１乃至請求項６の何れかに記載の施錠監視システム。
【請求項８】
制御部と第１の通知部との通信可能な範囲内において第１の施錠機構の施錠状態を示す第１の施錠信号を受信するのに応じて、前記第１の通知部から前記第１の施錠信号を送信し、
前記第１の施錠信号を受信するのに応じて、前記第１の施錠信号を第１の記憶部に保持し、該第１の記憶部に前記第１の施錠機構と異なる第２の施錠機構の施錠状態を示す第２の施錠信号の有無を判別し、前記第２の施錠信号が有った場合に、前記制御部から前記第２の施錠信号を送信し、
前記第２の施錠信号に基づいて、前記第２の施錠機構の施錠状態を判別し、解錠状態である場合に、前記第１の通知部によって前記第２の施錠機構が解錠状態であることを報知することを特徴とする施錠監視方法。
【請求項９】
前記第１の施錠信号を受信するのに応じて前記第１の施錠信号を第２の記憶部に保持し、
前記第２の施錠信号と該第２の施錠信号の受信状態とを前記第２の記憶部に保持し、
前記制御部と前記第１の通知部との通信可能な範囲外において、前記第２の記憶部に保持した前記第１の施錠信号に基づいて、前記第１の施錠機構の施錠状態を判別し、解錠状態である場合に、前記第１の施錠機構が解錠状態であることを報知することを特徴とする請求項８に記載の施錠監視方法。
【請求項１０】
警告音によって、前記第１及び前記第２の施錠機構の解錠状態を報知することを特徴とする請求項８または請求項９に記載の施錠監視方法。
【発明の詳細な説明】
【技術分野】
【０００１】
本発明は、ドア等に設けられた施錠機構の施錠状態を監視する技術分野に関する。
【背景技術】
【０００２】
近年における無線通信技術とセンシング技術の進歩は、家庭、オフィス、工場、自動車、携帯電話等の環境において、多くの人に利便性を提供する役割を担っている。
【０００３】
これら技術の進歩により、例えば自動車におけるドアロック機構は、リモートコントローラー（以降、「リモコン」と称する）（携帯機）を利用してドアを施錠（ロック）や解錠（アンロック）するシステム（キーレスエントリーシステム）が普及している。同様に建物におけるドアロック機構は、リモコンやＩＣ（ｉｎｔｅｇｒａｔｅｄ  ｃｉｒｃｕｉｔ：以降、「ＩＣ」と称する）カードを利用してドアを施錠や解錠するシステムが普及している。
【０００４】
さらに、上述したシステムは、施錠や解錠するだけでなく例えば、施錠機構から離れていても携帯電話のネットワーク機能を使用して施錠解錠状態を確認するシステムが存在する。また、係るシステムは、施錠解錠状態を鍵やリモコンに設けられた表示部に施錠状態を表示するシステム等が多岐にわたり存在する。
【０００５】
特許文献１に記載された技術は、車両が備えた通信システムを利用して、家屋のドアの施錠状態を車内に備えられた表示部に表示するドア施錠状態表示装置に関する技術を開示する。
【０００６】
より具体的に、特許文献１におけるドア施錠状態表示装置は、ドア施錠検出部から家屋のドアの施錠状態を示すドア状態信号を、車両用キーレスエントリーシステムの携帯機に送信する。携帯機は、受信したドア状態信号を記憶する。
【０００７】
さらに、キーレスエントリー機能を用いて車両のドアを解錠した際に、携帯機は、記憶したドア状態信号を車両に備えられた車載機に送信する。
【０００８】
車載機は、ドア状態信号を受信すると共に、受信したドア状態信号を表示部に出力する。次に、表示部は、イグニッションスイッチがオンされた際に、受信したドア状態信号に基づいて表示部本体に家屋のドアの施錠状態を表示する。
【０００９】
次に、特許文献２に記載された技術は、建物と車両とで共用可能な携帯装置を用いた建物と車両との統合管理システムに関する技術を開示する。
【００１０】
より具体的に、特許文献２における統合管理システムは、建物に建物側制御装置を設ける。さらに、統合管理システムは、車両に車両側制御装置を設ける。これら各制御装置（建物側制御装置、車両側制御装置）は、携帯装置（電子キー）と通信する。
【００１１】
携帯装置は、建物側制御装置が逐次取得した建物側情報と車両側制御装置が逐次取得した車側情報とを記憶（保有）する。
【００１２】
これにより、特許文献２に係る統合管理システムは、携帯装置を所持するユーザが建物から出て車両に乗り込む際に、携帯装置に記憶した建物側情報に基づいて車両のドアロック装置を制御する。また、統合管理システムは、携帯装置を所持するユーザが車両から降りて建物に入る際に、携帯装置に記憶した車側情報に基づいて建物のドアロック装置を制御する。
【００１３】
特許文献３に記載された技術は、車両のドアと家屋のドアとを共通のキー（鍵）を所持しているだけで解錠施錠するキーレスエントリーシステムに関する技術を開示する。
【００１４】
より具体的に、特許文献３におけるキーレスエントリーシステムは、車両のドアと家屋のドアとの両方に設けられたキー固有の認識番号を発信するＩＣチップを備えたキーを有する。
【００１５】
また、キーレスエントリーシステムは、当該キーを所持するユーザがドアロック装置のセンサ感知範囲内に入った場合に、またはドアに接触した場合に、電気式ロック手段によって自動的にドアロック装置が解錠される。
【００１６】
さらに、キーレスエントリーシステムは、解錠したドアが閉じた後に当該キーを所持するユーザがドアロック装置のセンサ感知範囲内を離れた場合に、電気式ロック手段によって自動的にドアロック装置が施錠される。
【００１７】
特許文献４に記載された技術は、車両のドアロック解錠時に住居に関する情報を車両の外部に向けて出力するシステムに関する技術を開示する。
【００１８】
より具体的に、特許文献４に記載された情報提供システムに係る情報収集装置は、住居に設置されたセンシング機器から住居に関する情報を収集すると共に、当該情報を記憶する。さらに、情報収集装置は、ドアの取っ手が操作されたことを検知すると、利用者の所持する第１の情報記憶媒体に対して利用者ＩＤの返信を要求する返信要求信号を玄関ドア周辺領域に発信する。
【００１９】
次に、第１の情報記憶媒体は、返信要求信号を受信すると共に、利用者ＩＤを情報収集装置に返信する。
【００２０】
情報収集装置は、第１の情報記憶媒体から利用者ＩＤを受信すると共に、利用者ＩＤに基づいて住居に関する情報を第２の情報記憶媒体に発信する。
【００２１】
第２の情報記憶媒体は、情報収集装置から住居に関する情報を受信すると共に、受信した当該情報を記憶する。
【００２２】
第２の情報記憶媒体は、例えば利用者の操作によって解錠要求信号の出力指示を受け付けると、解錠要求信号と共に住居に関する情報を乗用車内情報処理装置に送信する。
【００２３】
情報提供システムに係る乗用車内情報処理装置は、第２の情報記憶媒体から受信した解錠要求信号を照合するために認証情報を認証情報記憶部から読み込むと共に、読み込んだ認証情報と受信した解錠要求信号とを照合する。
【００２４】
乗用車内情報処理装置は、照合した結果、解錠要求信号が適正であると判断した場合に、受信した住居に関する情報を車両の外部に出力する。
【先行技術文献】
【特許文献】
【００２５】
【特許文献１】特開２００８−２８０８１３号公報
【特許文献２】特開２００７−２５５０９４号公報
【特許文献３】特開２００６−１３８１９３号公報
【特許文献４】特開２００６−００９３３８号公報
【発明の概要】
【発明が解決しようとする課題】
【００２６】
しかしながら、上述した携帯電話を使用して施錠解錠状態を確認するシステムでは、施錠解錠状態を確認するに留まり、例えば施錠を忘れた建物から遠方に離れた場所において施錠状態を確認した場合に、ユーザは、短時間で建物に戻ることができず依然として何者かが建物に不法侵入する可能性がある。
【００２７】
また、上述した施錠解錠状態を鍵やリモコンに設けられた表示部に表示するシステムでは、ユーザは、例えば鞄や衣類のポケットから鍵やリモコンを取出すと共に、表示部を確認する手間隙が必要である。さらに、ユーザは、鞄や衣類のポケットに鍵やリモコンを収納しているため、表示部に気がつかずに確認を忘れることが問題となる。
【００２８】
また、一般的に知られたシステムは、外出先から施錠解錠状態を確認するに留まり、施錠を忘れた際に、外出先から帰宅する時間を要する。即ち、当該システムは、例えばユーザが帰宅し、施錠するまでに時間を要する。そのため、当該システムでは、何者かが建物に侵入することを防ぐことができないことが問題となる。
【００２９】
特許文献１におけるドア施錠状態表示装置は、家屋のドアの施錠状態を車両内に設けられた表示部本体に表示する技術が記載されているに留まり、車両のドアの施錠状態を表示する動作については考慮されていない。即ち、特許文献１は、車両のドアの施錠を忘れた際に、車両のドアの施錠状態を表示できないため、依然として何者かが車両に侵入することを防ぐことができない。
【００３０】
さらに、特許文献１に係るドア施錠状態表示装置は、例えばユーザが車両に乗車すると共に、イグニッションスイッチをオンした際に、ドアの施錠状態を表示する。そのため、ドアの解錠状態を認識したユーザは、イグニッションスイッチをオフすると共に、車両から降車する手間隙が発生することが問題となる。
【００３１】
特許文献２における統合管理システムは、携帯装置を所持するユーザがドアの施錠を忘れた際の動作について考慮されておらず、依然としてドアの施錠忘れに対する問題を解決することができない。
【００３２】
特許文献３におけるキーレスエントリーシステムは、車両のキーと家屋のキーとを共通にする技術に関して開示するに留まり、依然としてドアの施錠忘れに対する問題を解決することができない。
【００３３】
また、特許文献４における情報提供システムは、住居のドアの施錠状態を車両の外部に設けられた表示部に表示する技術が記載されているに留まり、車両のドアの施錠状態を表示する動作については考慮されていない。
【００３４】
本発明の主たる目的は、施錠機構が解錠の状態の場合に、速やかに、且つ確実にユーザへ施錠機構が解錠の状態であることを報知することが可能な施錠監視システム等を提供することにある。
【課題を解決するための手段】
【００３５】
上記の課題を達成すべく、本発明に係る施錠監視システムは、以下の構成を備えることを特徴とする。
【００３６】
即ち、本発明に係る施錠監視システムは、
第１の施錠機構の施錠状態を示す第１の施錠信号を受信するのに応じて、前記第１の施錠信号を送信する第１の通知部と、
前記第１の通知部との通信可能な範囲内において前記第１の施錠信号を受信するのに応じて、前記第１の施錠信号を第１の記憶部に保持し、該第１の記憶部に前記第１の施錠機構と異なる第２の施錠機構の施錠状態を示す第２の施錠信号の有無を判別し、前記第２の施錠信号が有った場合に、前記第２の施錠信号を送信する制御部とを備え、
前記第１の通知部は、
前記第２の施錠信号に基づいて、前記第２の施錠機構の施錠状態を判別し、解錠状態である場合に、前記第２の施錠機構が解錠状態であることを報知する第１の提示部を備えることを特徴とする。
【００３７】
また、同目的を達成すべく、本発明に係る施錠監視方法は、以下の構成を備えることを特徴とする。
【００３８】
即ち、本発明に係る施錠監視方法は、
制御部と第１の通知部との通信可能な範囲内において第１の施錠機構の施錠状態を示す第１の施錠信号を受信するのに応じて、前記第１の通知部から前記第１の施錠信号を送信し、
前記第１の施錠信号を受信するのに応じて、前記第１の施錠信号を第１の記憶部に保持し、該第１の記憶部に前記第１の施錠機構と異なる第２の施錠機構の施錠状態を示す第２の施錠信号の有無を判別し、前記第２の施錠信号が有った場合に、前記制御部から前記第２の施錠信号を送信し、
前記第２の施錠信号に基づいて、前記第２の施錠機構の施錠状態を判別し、解錠状態である場合に、前記第１の通知部によって前記第２の施錠機構が解錠状態であることを報知することを特徴とする。
【発明の効果】
【００３９】
本発明によれば、施錠機構が解錠の状態の場合に、速やかに、且つ確実にユーザへ施錠機構が解錠の状態であることを報知することが可能な施錠監視装置等を提供することができる。
【図面の簡単な説明】
【００４０】
【図１】本発明の第１の実施形態における施錠監視システムの構成を示すブロック図である。
【図２】本発明の第２の実施形態における施錠監視システムの構成を示すブロック図である。
【図３】本発明の第３の実施形態における施錠監視システムの構成を示すブロック図である。
【図４】本発明の第３の実施形態における施錠監視システムが行う処理を示すフローチャートである。
【図５】本発明の第３の実施形態における制御部が行う処理を示すフローチャートである。
【図６】本発明の第３の実施形態における通知部が施錠信号を制御部から受信した際に行う処理を示すフローチャートである。
【図７】本発明に係る第３の実施形態の実施例における施錠監視システムの構成を示すブロック図である。
【発明を実施するための形態】
【００４１】
以下、本発明の実施形態について図面を参照して詳細に説明する。
【００４２】
＜第１の実施形態＞
図１は、本発明の第１の実施形態における施錠監視システム１の構成を示すブロック図である。
【００４３】
図１において、施錠監視システム１は、大別して、制御部２と、第１の通知部３とを有する。
【００４４】
より具体的に、制御部２は、第１の記憶部４を有する。
【００４５】
制御部２は、不図示の無線部を介して第１の通知部３と通信可能である。また、制御部２は、無線部を介して施錠信号を送受信する（施錠信号及び、無線部については、本実施形態において後述する）。
【００４６】
さらに、制御部２は、受信した信号等を第１の記憶部４に保持する。
【００４７】
第１の記憶部４は、制御部２が送受信した信号等を読み書き可能な不揮発性の記憶デバイスである。より具体的に、一例として、第１の記憶部４は、フラッシュメモリ等の不揮発性記憶素子を採用してもよい。但し、本実施形態を例に説明する本発明は、これらに限定されない（以下の実施形態においても同様）。
【００４８】
制御部２は、信号を受信するのに応じて、受信した信号が第１の施錠信号１０１であるか否か種別を判別する（第１の施錠信号１０１については、本実施形態において後述する）。
【００４９】
制御部２は、受信した信号が施錠信号であるか否かを判別することにより施錠信号以外の信号を受信した場合の誤動作等を阻止することができる。
【００５０】
さらに、制御部２は、受信した信号が第１の施錠信号１０１である場合に、受信した施錠信号の送信元を判別する。
【００５１】
制御部２は、受信した施錠信号が第１の通知部３から送信された信号であると判別した場合に、受信した第１の施錠信号１０１を第１の記憶部４に保持する。
【００５２】
さらに、制御部２は、第１の記憶部４に受信した施錠機構（第１の施錠機構）の施錠状態を示す施錠信号と異なる施錠機構（第２の施錠機構）の施錠状態を示す施錠信号の有無を確認すると共に、当該異なる施錠信号が第１の記憶部４に保持されていた場合に、当該異なる施錠信号を送信する。
【００５３】
より具体的に、一例として、制御部２は、第１の通知部３から第１の施錠信号１０１を受信するのに応じて、第１の施錠信号１０１を第１の記憶部４に保持する。
【００５４】
さらに、制御部２は、第１の記憶部４に第２の施錠信号１０２の有無を確認する。また、制御部２は、第１の記憶部４に第２の施錠信号１０２が保持されていた場合に、第２の施錠信号１０２を第１の通知部３に送信する。
【００５５】
ここで、施錠信号（第１の施錠信号１０１、第２の施錠信号１０２）は、施錠機構の施錠状態（施錠または解錠）を示す信号である。一例として、施錠状態とは、施錠機構が施錠された状態を「施錠」、施錠機構が解錠された（施錠を忘れた）状態を「解錠」と示すこととする（以下の実施形態においても同様）。
【００５６】
また、第１の施錠信号１０１と第２の施錠信号１０２とは、異なる不図示の施錠検知部によって出力された施錠機構の施錠または解錠の状態を示す信号である。
【００５７】
より具体的に、例えば、第１の施錠信号１０１は、第１のドアに備えられた施錠機構（第１の施錠機構）の施錠または解錠の状態を施錠検知部によって検知されると共に、その状態を第１の施錠信号１０１として出力された信号である。
【００５８】
また、第２の施錠信号１０２は、第１のドアと異なる第２のドアに備えられた施錠機構（第２の施錠機構）の施錠または解錠の状態を施錠検知部によって検知されると共に、その状態を第２の施錠信号１０２として出力された信号である。
【００５９】
ここで、不図示の施錠検知部は、施錠機構の施錠または解錠を検知すると共に、検知した施錠状態を施錠信号として送信する。例えば、施錠検知部は、磁気センサによって施錠機構が施錠または解錠する際のシリンダ等が回動する動作を検知してもよい。尚、一例として、施錠検知部は、磁気センサによって検知したが、これに限らず、近接センサによって施錠機構を操作する際に、ユーザが施錠機構に近接したことを検知してもよい。但し、本実施形態を例に説明する本発明は、これらに限定されない（以下の実施形態においても同様）。
【００６０】
さらに、施錠検知部は、所定の時間周期毎に施錠機構の施錠または解錠の状態を検知すると共に、検知した情報を施錠信号として有線、または無線等の通信媒体を介して送信してもよい。但し、本実施形態を例に説明する本発明は、これらに限定されない（以下の実施形態においても同様）。
【００６１】
尚、施錠検知部が施錠状態を検知する技術自体は、現在では一般的な技術を採用することができるので、本実施形態における詳細な説明は省略する（以下の実施形態においても同様）。
【００６２】
以下の説明において、説明の便宜上、第１の施錠信号１０１と第２の施錠信号１０２とを総称して施錠信号と称する（以下の実施形態においても同様）。
【００６３】
次に、第１の通知部３は、第１の提示部５を有する。
【００６４】
第１の通知部３は、不図示の無線部を介して制御部２と通信可能である。
【００６５】
ここで、不図示の無線部は、通信可能範囲（検知範囲）内において微弱電波で信号を送受信する無線通信機器である。無線部は、信号を受信するための不図示の受信アンテナと受信回路とを有する。また、無線部は、信号を送信するための不図示の送信アンテナと送信回路とを有する。
【００６６】
ここでは、一般的に知られた通信可能範囲（検知範囲）は、無線部を中心として略半径３メートルとする。但し、本実施形態を例に説明する本発明は、これらに限定されない（以下の実施形態においても同様）。
【００６７】
尚、無線部が無線通信する技術自体は、現在では一般的な技術を採用することができるので、本実施形態における詳細な説明は省略する（以下の実施形態においても同様）。
【００６８】
第１の通知部３は、所定の時間周期毎に施錠検知部から送信された第１の施錠信号１０１を受信するのに応じて、受信した第１の施錠信号１０１を制御部２に送信する。
【００６９】
次に、第１の通知部３が制御部２から送信された施錠信号を受信した際の動作について説明する。
【００７０】
第１の通知部３は、制御部２から第２の施錠信号１０２を受信する。さらに、第１の通知部３は、受信した信号の種別を判別する。即ち、第１の通知部３は、受信した信号が第２の施錠信号１０２であるか否かを判別する。
【００７１】
これにより、第１の通知部３は、受信した信号が第２の施錠信号１０２であるか否かを判別することにより施錠信号以外の信号を受信した場合の誤動作等を阻止することができる。
【００７２】
第１の通知部３は、受信した信号の種別を判別した結果、第２の施錠信号１０２であると判別した場合に、受信した第２の施錠信号１０２に基づいて施錠機構（第２の施錠機構）の施錠状態（施錠または解錠）を判別する。
【００７３】
第１の通知部３は、第２の施錠信号１０２に基づいて施錠機構（第２の施錠機構）の施錠状態（施錠または解錠）を判別した結果、解錠の状態（解錠状態）であると判別した場合に、第１の提示部５に通知信号を送信する。
【００７４】
第１の提示部５は、第１の通知部３から通知信号を受信すると共に、ユーザ等に施錠機構（第２の施錠機構）の解錠の状態を報知する。
【００７５】
より具体的に、一例として、第１の提示部５は、第１の通知部３から通知信号を受信すると共に、スピーカー等の音響機器によって、音（警告音）で施錠機構（第２の施錠機構）の解錠の状態をユーザ等に報知する。即ち、係る施錠監視システムは、警告音によってユーザ等に施錠機構（第２の施錠機構）の解錠の状態を警告する。
【００７６】
尚、説明の便宜上、一例として、第１の提示部５は、スピーカーによって解錠の状態を報知したが、これに限らず、第１の提示部５は、ブザーやベルによって解錠の状態を報知してもよい（以下の実施形態においても同様）。
【００７７】
次に、本発明の第１の実施形態に係るより具体的な施錠監視システム１の動作について説明する。
【００７８】
以下の説明において、一例として、施錠監視システム１は、第１のドアに本発明の第１の実施形態に係る第１の通知部３を適用する。また、制御部２を有するユーザが第１の通知部３と制御部２との通信可能範囲（検知範囲）内に移動した際の動作について、詳細に説明する。
【００７９】
尚、第１の記憶部４には、第２の施錠機構の施錠状態を示す第２の施錠信号１０２が保持されていることとする。また、第２の施錠信号１０２は、第１のドアと異なるドアの施錠機構（第２の施錠機構）が「解錠」の状態を示す信号とする。
【００８０】
尚、説明の便宜上、上述した構成を例に説明するが、本発明は、これに限定されない（以下の実施形態においても同様）。
【００８１】
はじめに、制御部２を有するユーザは、第１のドアを操作するために第１のドア近傍に移動する。即ち、係るユーザは、制御部２と第１の通知部３との通信可能範囲（検知範囲）内に移動する。
【００８２】
第１の通知部３は、不図示の施錠検知部から第１のドアが有する施錠機構（第１の施錠機構）の施錠状態を示す第１の施錠信号１０１を受信するのに応じて、受信した第１の施錠信号１０１を送信する。
【００８３】
次に、制御部２は、信号の受信有無を判別する。
【００８４】
制御部２は、信号を受信するのに応じて、受信した信号が第１の施錠信号１０１であるか否か種別を判別する。
【００８５】
制御部２は、受信した信号が第１の施錠信号１０１である場合に、受信した施錠信号の送信元を判別する。
【００８６】
制御部２は、受信した施錠信号が第１の通知部３から送信された信号であると判別した場合に、第１の施錠信号１０１を第１の記憶部４に保持する。
【００８７】
さらに、制御部２は、第１の記憶部４に第２の施錠信号１０２の有無を確認する。制御部２は、第１の記憶部４に第２の施錠信号１０２が保持されていた場合に、第２の施錠信号１０２を第１の通知部３に送信する。
【００８８】
第１の通知部３は、制御部２から第２の施錠信号１０２を受信する。さらに、第１の通知部３は、受信した信号が第２の施錠信号１０２であるか否か（種別）を判別する。
【００８９】
第１の通知部３は、受信した信号の種別を判別した結果、第２の施錠信号１０２であると判別した場合に、受信した第２の施錠信号１０２に基づいて施錠機構（第２の施錠機構）の施錠状態（施錠または解錠）を判別する。
【００９０】
第１の通知部３は、第２の施錠信号１０２に基づいて施錠機構（第２の施錠機構）の施錠状態（施錠または解錠）を判別した結果、解錠の状態であると判別した場合に、第１の提示部５に通知信号を送信する。
第１の提示部５は、第１の通知部３から通知信号を受信すると共に、音（警告音）によってユーザ等に報知する。
【００９１】
このように本実施の形態に係る施錠監視システム１によれば、施錠機構が解錠の状態の場合に、速やかに、且つ確実にユーザへ施錠機構が解錠の状態であることを報知することができる。その理由は、制御部２は、第１の通知部３から送信された施錠機構（第１の施錠機構）の施錠状態を示す施錠信号を受信するのをトリガとして、第１の記憶部４に保持した当該施錠信号と異なる施錠信号を第１の通知部３に送信する。さらに、第１の通知部３は、受信した異なる施錠信号に基づいて、施錠状態を判別すると共に、施錠機構（第２の施錠機構）が解錠の状態であった場合に、第１の提示部５が発する音（警告音）によって報知する。そのため、例えば、制御部２を有するユーザは、制御部２と第１の通知部３との通信可能範囲（検知範囲）内に移動した際に、速やかに施錠状態を判別すると共に、解錠の状態であった場合に第１の提示部５が発する音（警告音）によって認識することができるからである。
【００９２】
＜第２の実施形態＞
次に、上述した本発明の第１の実施形態に係る施錠監視システム１を基本とする第２の実施形態について説明する。以下の説明においては、本実施形態に係る特徴的な部分を中心に説明する。その際、上述した各実施形態と同様な構成については、同一の参照番号を付すことにより、重複する説明は省略する。
【００９３】
本発明の第２の実施形態における施錠監視システム１ａについて、図２を参照して説明する。
【００９４】
図２は、本発明の第２の実施形態における施錠監視システム１ａの構成を示すブロック図である。
【００９５】
図２において、施錠監視システム１ａは、大別して、制御部２と、第１の通知部１０とを有する。
【００９６】
本実施形態では、第１の実施形態において説明した施錠監視システム１に係る第１の通知部３に、さらに、第２の記憶部１１を適用した場合について説明する。
【００９７】
第１の通知部１０は、さらに、第２の記憶部１１を有する。
【００９８】
第２の記憶部１１は、第１の通知部１０が送受信した信号等を読み書き可能な不揮発性の記憶デバイスである。より具体的に、一例として、第２の記憶部１１は、フラッシュメモリ等の不揮発性記憶素子を採用してもよい。但し、本実施形態を例に説明する本発明は、これらに限定されない（以下の実施形態においても同様）。
【００９９】
第２の記憶部１１は、施錠検知部から受信した第１の施錠信号１０１を保持する。
【０１００】
さらに、第１の通知部１０は、受信した第１の施錠信号１０１を制御部２に送信する。
【０１０１】
また、第１の通知部１０は、制御部２から受信した施錠信号の受信状態を保持する。より具体的に、第１の通知部１０は、制御部２から第２の施錠信号１０２を受信した場合に、第２の記憶部１１に施錠信号の受信状態を「受信」として保持する。
【０１０２】
さらに、第１の通知部１０は、制御部２から受信した第２の施錠信号１０２を第２の記憶部１１に保持する。
【０１０３】
一方で、第１の通知部１０は、制御部２から第２の施錠信号１０２を受信していない（受信できない）場合に、第２の記憶部１１に施錠信号の受信状態を「未受信」として保持する。
【０１０４】
即ち、「未受信」とは、第１の通知部１０と制御部２とが通信可能範囲（検知範囲）を外れた場合等に、第１の通知部１０と制御部２とが施錠信号を送受信していない（送受信できない）ことを意味する。
【０１０５】
尚、説明の便宜上、一例として、第２の記憶部１１に記憶する施錠信号の受信状態は、「受信」または「未受信」を保持したが、これに限らず、受信の場合に「０」、未受信の場合に「１」等を保持してもよい。さらに、第２の記憶部１１に保持する施錠信号の受信状態は、「受信」または「未受信」の状態が判別することが可能であれば、これに限定されない（以下の実施形態においても同様）。
【０１０６】
このように、第１の通知部１０は、さらに、上述した第２の記憶部１１を有することによって信号の受信状態や施錠信号を保持することができる。
【０１０７】
次に、本発明の第２の実施形態に係る特徴的な部分を中心に施錠監視システム１ａの動作について説明する。
【０１０８】
以下の説明において、一例として、制御部２を有するユーザが第１の通知部１０と制御部２との通信可能範囲内から通信可能範囲外に移動した際の第１の通知部１０の動作について、詳細に説明する。
【０１０９】
第１の通知部１０は、制御部２から第２の施錠信号１０２を受信しない場合に、第２の記憶部１１に保持された第２の施錠信号１０２の受信状態（「受信」または「未受信」）を判別する。
【０１１０】
より具体的に、例えば、第１の通知部１０は、制御部２を有するユーザが通信可能範囲外に移動することによって、制御部２から第２の施錠信号１０２を受信しない場合に、第２の記憶部１１に保持された第２の施錠信号１０２の受信状態（「受信」または「未受信」）を判別する。
【０１１１】
このため、制御部２から第２の施錠信号１０２を受信しない場合に、第１の通知部１０は、第２の記憶部１１に保持された制御部２から第２の施錠信号１０２の受信状態を判別することによって、制御部２が第１の通知部１０と制御部２との通信可能範囲外に移動したことを検知することができる。
【０１１２】
第１の通知部１０は、第２の記憶部１１に第２の施錠信号１０２の受信状態が「受信」であった場合に、第２の記憶部１１に保持された第１の施錠信号１０１に基づいて、施錠機構（第１の施錠機構）の施錠状態を判別する。
【０１１３】
第１の通知部１０は、第１の施錠信号１０１が示す施錠状態が解錠の状態であった場合に、第１の提示部５に通知信号を送信する。
【０１１４】
第１の提示部５は、第１の通知部１０から通知信号を受信すると共に、音（警告音）によってユーザ等に報知する。
【０１１５】
このように、例えば、制御部２を有するユーザが施錠機構（第１の施錠機構）の施錠を忘れて第１の通知部１０との通信可能な範囲（検知範囲）を外れた際に、係る施錠監視システム１ａは、第２の記憶部１１に保持した第１の施錠信号１０１に基づいて、施錠状態を判別すると共に、解錠の状態であると判別した場合に、第１の提示部５によって施錠機構（第１の施錠機構）の解錠の状態をユーザに報知することができる。
【０１１６】
第１の通知部１０は、第２の記憶部１１に第２の施錠信号１０２の受信状態を「未受信」として保持する。
【０１１７】
このように本実施の形態に係る施錠監視システム１ａによれば、上述した第１の実施形態において説明した効果を享受できると共に、さらに、施錠監視システム１ａは、制御部２を有するユーザが通信可能範囲（検知範囲）外に移動した際に、速やかに施錠機構（第１の施錠機構）の解錠の状態を報知することができる。その理由は、施錠監視システム１ａに係る第１の通知部１０は、さらに、第２の記憶部１１を有する。そのため、施錠監視システム１ａは、第２の記憶部１１に保持された第２の施錠信号１０２の受信状態によって、制御部２と第１の通知部１０とが通信可能範囲（検知範囲）を外れたことを検知できるからである。さらに、制御部２と第１の通知部１０とが通信可能範囲（検知範囲）を外れた際に、第２の記憶部１１に保持された第１の施錠信号１０１が示す施錠状態に基づいて、施錠機構（第１の施錠機構）が解錠の状態であると判別した場合に、第１の提示部５によって解錠の状態を報知するからである。
【０１１８】
＜第３の実施形態＞
次に、上述した本発明の第２の実施形態に係る施錠監視システム１ａを基本とする第３の実施形態について説明する。以下の説明においては、本実施形態に係る特徴的な部分を中心に説明する。その際、上述した各実施形態と同様な構成については、同一の参照番号を付すことにより、重複する説明は省略する。
【０１１９】
図３は、本発明の第３の実施形態における施錠監視システム１ｂの構成を示すブロック図である。
【０１２０】
また、図４乃至図６は、本発明の第３の実施形態における施錠監視システム１ｂが行う動作を示すフローチャートである。係るフローチャートに沿って施錠監視システム１ｂの動作手順を説明する。
【０１２１】
図３において、施錠監視システム１ｂは、大別して、制御部２と、第１の通知部１０と、第２の通知部２０とを有する。
【０１２２】
本実施形態では、第２の実施形態において説明した施錠監視システム１ａに、さらに、第２の通知部２０を適用した場合について説明する。
【０１２３】
第２の通知部２０は、第２の提示部２１、第３の記憶部２２を有する。
【０１２４】
尚、第２の通知部２０は、上述した第２の実施形態における第１の通知部１０に相当する。より具体的に、第２の提示部２１は、第２の実施形態における第１の提示部５に相当する。また、第３の記憶部２２は、第２の実施形態における第２の記憶部１１に相当する。
【０１２５】
次に、本発明の第３の実施形態に係るより具体的な施錠監視システム１ｂの動作について説明する。
【０１２６】
ここで、施錠監視システム１ｂの動作について、フローチャートに沿って説明する。
【０１２７】
図４は、本発明の第３の実施形態における施錠監視システム１ｂが行う処理を示すフローチャートである。
【０１２８】
以下の説明において、説明の便宜上、第１の通知部１０と第２の通知部２０とを総称して通知部と称する。第１の通知部１０と第２の通知部２０とは、機能や動作に差異は無いこととする。また、第２の記憶部１１と第３の記憶部２２とを総称して記憶部と称する。第２の記憶部１１と第３の記憶部２２とは、機能や動作に差異は無いこととする（以下の実施形態においても同様）。
【０１２９】
ステップＳ１：
通知部（第１の通知部１０、第２の通知部２０）は、所定の時間周期毎に不図示の施錠検知部から送信された施錠信号を受信するのに応じて、受信した施錠信号を記憶部（第２の記憶部１１、第３の記憶部２２）に保持する。
【０１３０】
より具体的に、第１の通知部１０においては、第１の施錠信号１０１を受信するのに応じて、受信した第１の施錠信号１０１を第２の記憶部１１に保持する。
【０１３１】
第２の通知部２０においては、第２の施錠信号１０２を受信するのに応じて、受信した第２の施錠信号１０２を第３の記憶部２２に保持する。
【０１３２】
ステップＳ２：
通知部は、施錠信号を受信するのに応じて、施錠信号を制御部２に送信する。
【０１３３】
より具体的に、第１の通知部１０においては、第１の施錠信号１０１を受信するのに応じて、第１の施錠信号１０１を制御部２に送信する。
【０１３４】
第２の通知部２０においては、第２の施錠信号１０２を受信するのに応じて、第２の施錠信号１０２を制御部２に送信する。
【０１３５】
ステップＳ３：
制御部２は、通知部から施錠信号を受信するのに応じて、以下に説明する処理を実行する。
【０１３６】
次に、制御部２の動作について、フローチャートに沿って説明する。
【０１３７】
図５は、本発明の第３の実施形態における制御部２が行う処理を示すフローチャートである。
【０１３８】
ステップＳ２１：
制御部２は、信号の受信有無を判別する。
【０１３９】
ステップＳ２２において「ＮＯ」：
制御部２は、信号を受信していないと判別した場合、制御部２の処理を終了する。
【０１４０】
ステップＳ２２において「ＹＥＳ」：
制御部２は、信号を受信したと判別した場合に、処理をステップＳ２３に進める。
【０１４１】
ステップＳ２３：
制御部２は、受信した信号が施錠信号であるか否か種別を判別する。
【０１４２】
ステップＳ２４において「ＮＯ」：
制御部２は、受信した信号が施錠信号であるか否か種別を判別した結果、受信した信号が施錠信号でない場合に、制御部２の処理を終了する。
【０１４３】
ステップＳ２４において「ＹＥＳ」：
制御部２は、受信した信号が施錠信号であるか否か種別を判別した結果、受信した信号が施錠信号である場合に、処理をステップＳ２５に進める。
【０１４４】
ステップＳ２５：
制御部２は、受信した施錠信号の送信元を判別する。
【０１４５】
より具体的に、一例として、制御部２は、制御部２と通知部とが通信する際に照合するための識別子（ｉｄｅｎｔｉｆｉｃａｔｉｏｎ：以降、「ＩＤ」と称する）によって送信元を判別してもよい。但し、本実施形態を例に説明する本発明は、これらに限定されない（以下の実施形態においても同様）。
【０１４６】
ステップＳ２６において「ＮＯ」：
制御部２は、受信した施錠信号の送信元を判別した結果、受信した施錠信号が第２の通知部２０から送信された信号であると判別した場合に、処理をステップＳ３１に進める。
【０１４７】
ステップＳ２６において「ＹＥＳ」：
制御部２は、受信した施錠信号の送信元を判別した結果、受信した施錠信号が第１の通知部１０から送信された信号であると判別した場合に、処理をステップＳ２７に進める。
【０１４８】
ステップＳ２７：
制御部２は、第１の通知部１０から受信した第１の施錠信号１０１を第１の記憶部４に保持する。
【０１４９】
ステップＳ２８：
制御部２は、第１の記憶部４に第２の施錠信号１０２の有無を判別する。
【０１５０】
ステップＳ２９において「ＮＯ」：
制御部２は、第１の記憶部４に第２の施錠信号１０２の有無を判別した結果、第１の記憶部４に第２の施錠信号１０２が保持されていない場合に、処理を終了する。
【０１５１】
ステップＳ２９において「ＹＥＳ」：
制御部２は、第１の記憶部４に第２の施錠信号１０２の有無を判別した結果、第１の記憶部４に第２の施錠信号１０２が保持されている場合に、処理をステップＳ３０に進める。
【０１５２】
ステップＳ３０：
制御部２は、第１の記憶部４から第２の施錠信号１０２を読み出すと共に、読み出した第２の施錠信号１０２を第１の通知部１０に送信する。
【０１５３】
ステップＳ３１：
制御部２は、第２の通知部２０から受信した第２の施錠信号１０２を第１の記憶部４に保持する。
【０１５４】
ステップＳ３２：
制御部２は、第１の記憶部４に第１の施錠信号１０１の有無を判別する。
【０１５５】
ステップＳ３３において「ＮＯ」：
制御部２は、第１の記憶部４に第１の施錠信号１０１の有無を判別した結果、第１の記憶部４に第１の施錠信号１０１が保持されていない場合に、処理を終了する。
【０１５６】
ステップＳ３３において「ＹＥＳ」：
制御部２は、第１の記憶部４に第１の施錠信号１０１の有無を判別した結果、第１の記憶部４に第１の施錠信号１０１が保持されている場合に、処理をステップＳ３４に進める。
【０１５７】
ステップＳ３４：
制御部２は、第１の記憶部４から第１の施錠信号１０１を読み出すと共に、読み出した第１の施錠信号１０１を第２の通知部２０に送信する。
【０１５８】
次に、施錠監視システム１ｂは、図４におけるステップＳ４の処理を実行する。
【０１５９】
通知部（第１の通知部１０、第２の通知部２０）が施錠信号を制御部２から受信した際の動作について、フローチャートに沿って説明する。
【０１６０】
図６は、本発明の第３の実施形態における通知部が施錠信号を制御部２から受信した際に行う処理を示すフローチャートである。
【０１６１】
ステップＳ４１：
通知部は、制御部２から送信された信号の受信有無を判別する。
【０１６２】
ステップＳ４２において「ＮＯ」：
通知部は、制御部２から信号を受信していない場合に、処理をステップＳ４９に進める。
【０１６３】
ステップＳ４２において「ＹＥＳ」：
通知部は、制御部２から信号を受信した場合に、処理をステップＳ４３に進める。
【０１６４】
ステップＳ４３：
通知部は、受信した信号が施錠信号であるか否か種別を判別する。
【０１６５】
ステップＳ４４において「ＮＯ」：
通知部は、受信した信号が施錠信号であるか否か種別を判別した結果、受信した信号が施錠信号でない場合に、処理をステップＳ５４に進める。
【０１６６】
ステップＳ４４において「ＹＥＳ」：
通知部は、受信した信号が施錠信号であるか否か種別を判別した結果、受信した信号が施錠信号である場合に、処理をステップＳ４５に進める。
【０１６７】
ステップＳ４５：
通知部は、記憶部に施錠信号の受信状態を「受信」として保持する。
【０１６８】
より具体的に、第１の通知部１０においては、第２の記憶部１１に第２の施錠信号１０２の受信状態を「受信」として保持する。
【０１６９】
第２の通知部２０においては、第３の記憶部２２に第１の施錠信号１０１の受信状態を「受信」として保持する。
【０１７０】
ステップＳ４６：
通知部は、受信した施錠信号に基づいて施錠機構の施錠状態（施錠または解錠）を判別する。
【０１７１】
より具体的に、第１の通知部１０においては、受信した第２の施錠信号１０２に基づいて、施錠機構（第２の施錠機構）の施錠状態（施錠または解錠）を判別する。
【０１７２】
第２の通知部２０においては、受信した第１の施錠信号１０１に基づいて、施錠機構（第１の施錠機構）の施錠状態（施錠または解錠）を判別する。
【０１７３】
ステップＳ４７において「ＹＥＳ」：
通知部は、施錠信号に基づいて施錠機構の施錠状態（施錠または解錠）を判別した結果、施錠の状態であると判別した場合に、通知部の処理を終了する。
【０１７４】
ステップＳ４７において「ＮＯ」：
通知部は、施錠信号に基づいて施錠機構の施錠状態（施錠または解錠）を判別した結果、解錠の状態であると判別した場合に、提示部（第１の提示部５、第２の提示部２１）に通知信号を送信する。
【０１７５】
ステップＳ４８：
提示部は、通知部から通知信号を受信すると共に、スピーカーから出力される音（警告音）によって、ユーザ等に報知する。
【０１７６】
より具体的に、第１の提示部５においては、第１の通知部１０から通知信号を受信すると共に、スピーカーから出力される音（警告音）によって、ユーザ等に報知する。
【０１７７】
第２の提示部２１においては、第２の通知部２０から通知信号を受信すると共に、スピーカーから出力される音（警告音）によって、ユーザ等に報知する。
【０１７８】
ステップＳ４９：
通知部は、記憶部に保持された施錠信号の受信状態（「受信」または「未受信」）を判別する。即ち、通知部は、制御部２から送信された施錠信号の受信状態を判別する。
【０１７９】
より具体的に、第１の通知部１０においては、第２の記憶部１１に保持された第２の施錠信号１０２の受信状態を判別する。
【０１８０】
第２の通知部２０においては、第３の記憶部１１に保持された第１の施錠信号１０１の受信状態を判別する。
【０１８１】
ステップＳ５０において「ＮＯ」：
通知部は、記憶部に保持された施錠信号の受信状態を判別した結果、受信状態が「未受信」であった場合に、処理をステップＳ５４に進める。
【０１８２】
ステップＳ５０において「ＹＥＳ」：
通知部は、記憶部に保持された施錠信号の受信状態を判別した結果、受信状態が「受信」であった場合に、処理をステップＳ５１に進める。
【０１８３】
ステップＳ５１：
通知部は、記憶部に保持された施錠信号に基づいて施錠機構の施錠状態（施錠または解錠）を判別する。即ち、通知部は、ステップＳ１において受信した施錠信号に基づいて施錠機構の施錠状態（施錠または解錠）を判別する。
【０１８４】
より具体的に、第１の通知部１０においては、ステップＳ１において受信した第１の施錠信号１０１に基づいて施錠機構（第1の施錠機構）の施錠状態（施錠または解錠）を判別する。
【０１８５】
また、第２の通知部２０においては、ステップＳ１において受信した第２の施錠信号１０２に基づいて施錠機構（第２の施錠機構）の施錠状態（施錠または解錠）を判別する。
【０１８６】
ステップＳ５２において「ＹＥＳ」：
通知部は、記憶部に保持された施錠信号に基づいて施錠機構の施錠状態を判別した結果、施錠の状態であると判別した場合に、処理をステップＳ５４に進める。
【０１８７】
ステップＳ５２において「ＮＯ」：
通知部は、記憶部に保持された施錠信号に基づいてドアの施錠状態を判別した結果、解錠の状態であると判別した場合に、提示部（第１の提示部５、第２の提示部２１）に通知信号を送信する。
【０１８８】
ステップＳ５３：
提示部は、通知部から通知信号を受信すると共に、スピーカーから出力される音（警告音）によって、ユーザ等に報知する。
【０１８９】
即ち、ステップＳ４９乃至Ｓ５３に係る処理によって、例えば制御部２を有するユーザは、制御部２と通知部との通信可能範囲（検知範囲）から外れた際に、ステップＳ１において記憶部に保持した施錠信号に基づいて、速やかに解錠の状態を認識することができる。
【０１９０】
ステップＳ５４：
通知部は、記憶部に施錠信号の受信状態を「未受信」として保持する。
【０１９１】
より具体的に、第１の通知部１０においては、第２の記憶部１１に第２の施錠信号１０２の受信状態を「未受信」として保持する。
【０１９２】
第２の通知部２０においては、第３の記憶部２２に第１の施錠信号１０１の受信状態を「未受信」として保持する。
【０１９３】
尚、説明の便宜上、一例として、本発明の第３の実施形態に係る施錠監視システムは、第１の通知部１０と第２の通知部２０との２つの通知部において、説明したがこれに限らず、本発明に係る施錠監視システムは、１つ乃至複数の通知部によって構成してもよい。その場合、施錠機構の解錠の状態を知らせる音（警告音）のパターンや回数を変更することによって実現可能である。
【０１９４】
このように本実施の形態に係る施錠監視システム１ｂによれば、上述した各実施形態において説明した効果を享受できると共に、さらに、複数の施錠機構の施錠状態を監視することができる。さらに、施錠監視システム１ｂは、複数の施錠機構において施錠機構が解錠の場合に、速やかに、且つ確実にユーザへ施錠機構が解錠の状態であることを報知することができる。その理由は、施錠監視システム１ｂに係る制御部２は、複数の通知部から送信された施錠機構の施錠状態を第１の記憶部４に保持することができるからである。そのため、通知部は、制御部２から送信された施錠信号に基づいて、施錠状態を判別すると共に、解錠の状態であることを報知することができるからである。
＜実施例＞
次に、上述した第３の実施形態に係るより具体的な実施例として、施錠監視システム１ｃについて、図７を参照して説明する。以下の説明においては、本実施例に係る特徴的な部分を中心に説明する。その際、上述した各実施形態と同様な構成については、同一の参照番号を付すことにより、重複する説明は省略する。
【０１９５】
図７は、本発明に係る第３の実施形態の実施例における施錠監視システム１ｃの構成を示すブロック図である。
【０１９６】
以下の説明において、一例として、施錠監視システム１ｃは、家屋３０に設けられた家屋ドアに本発明に係る第３の実施形態において説明した第１の通知部１０を適用する。また、車両３１に設けられた車両ドアに本発明に係る第３の実施形態において説明した第２の通知部２０を適用する。さらに、係る実施例は、制御部２を有するユーザが家屋ドアの施錠を忘れた際に、車両に乗車する場合の動作について、詳細に説明する。
【０１９７】
説明の便宜上、上述した構成を例に説明するが、本発明は、これに限定されない（以下の実施形態においても同様）。
【０１９８】
ここで、第１の通知部１０と制御部２とは、図２におけるステップＳ１乃至Ｓ４の処理を実行していることとする。そのため、係る第１の記憶部４は、家屋ドアの解錠の状態を示す第１の施錠信号１０１を保持していることとする。
【０１９９】
はじめに、第２の通知部２０は、所定の時間周期毎に施錠検知部から送信された第２の施錠信号１０２を受信するのに応じて、受信した第２の施錠信号１０２を第３の記憶部２２に保持する。
【０２００】
さらに、第２の通知部２０は、第２の施錠信号１０２を受信するのに応じて、第２の施錠信号１０２を制御部２に送信する。
【０２０１】
即ち、制御部２を有するユーザが車両３１の近傍に移動した際、制御部２は、第２の通知部２０から第２の施錠信号１０２を受信する。
【０２０２】
制御部２は、信号を受信するのに応じて、受信した信号が施錠信号であるか否か種別を判別する。
【０２０３】
制御部２は、受信した信号が施錠信号であるか否か種別を判別した結果、受信した信号が施錠信号である場合に、受信した施錠信号の送信元を判別する。
【０２０４】
制御部２は、受信した施錠信号の送信元を判別した結果、受信した施錠信号が第２の通知部２０から送信された信号であると判別した場合に、第２の施錠信号１０２を第１の記憶部４に保持する。
【０２０５】
次に、制御部２は、第１の記憶部４に第１の施錠信号１０１の有無を判別する。
【０２０６】
制御部２は、第１の記憶部４に第１の施錠信号１０１の有無を判別した結果、第１の記憶部４に第１の施錠信号１０１が保持されている場合に、第１の記憶部４から第１の施錠信号１０１を読み出すと共に、読み出した第１の施錠信号１０１を第２の通知部２０に送信する。
【０２０７】
第２の通知部２０は、制御部２から信号を受信した場合に、受信した信号が施錠信号であるか否か種別を判別する。
【０２０８】
第２の通知部２０は、受信した信号が施錠信号であるか否か種別を判別した結果、受信した信号が施錠信号である場合に、第３の記憶部２２に第１の施錠信号１０１の受信状態を「受信」として保持する。
【０２０９】
第２の通知部２０は、受信した第１の施錠信号１０１に基づいて家屋ドアの施錠機構の施錠状態（施錠または解錠）を判別する。
【０２１０】
第２の通知部２０は、第１の施錠信号１０１に基づいて家屋ドアの施錠機構の施錠状態（施錠または解錠）を判別した結果、解錠の状態であると判別した場合に、第２の提示部２１に通知信号を送信する。
【０２１１】
第２の提示部２１は、第２の通知部２０から通知信号を受信すると共に、スピーカーから出力される音（警告音）によって、ユーザ等に報知する。
【０２１２】
尚、第２の通知部２０は、ユーザが車両３１に乗車すると共に、不図示のエンジンの動作を開始する際に、第３の記憶部２２に保持された第１の施錠信号１０１に基づいて家屋ドアの施錠機構の施錠状態（施錠または解錠）を判別した結果、解錠の状態であると判別した場合に、インジケータ３２を点灯してもよい。一方で、第２の通知部２０は、施錠の状態であると判別した場合に、インジケータ３２を消灯してもよい。
【０２１３】
ここで、インジケータ３２は、一般的に知られた車両の状態や異常をユーザに示すための表示器である。但し、係るインジケータ自体は本実施形態の特徴ではないので、具体的手段及び詳細な構成については省略する。
【０２１４】
尚、本発明における解錠の状態を報知する手法は、通知部が解錠の状態であると判別した場合に、不図示のドア近傍にある照明器具を点灯、または点滅することによって、ユーザに報知してもよい。さらに、解錠の状態を報知する手法は、車両であれば一般的に知られた警音器によって警笛を鳴らすことによって報知してもよい。但し、本発明は、これに限定されない（以下の実施形態においても同様）。
【０２１５】
また、本発明に係る施錠監視システムは、一般的に知られた携帯機（キー）と車両に搭載されたＥＣＵ（Ｅｌｅｃｔｒｏｎｉｃ  Ｃｏｎｔｒｏｌ  Ｕｎｉｔ：以降、「ＥＣＵ」と称する）との間で通信を行うと共に、車両ドアの施錠または解錠を行うキーレスエントリーシステムに適用可能である。その場合、制御部２には、さらに、携帯機の機能を適用すればよい。また、第１の通知部１０には、さらに、ＥＣＵの機能を適用すればよい。但し、係るキーレスエントリーシステム自体は本実施形態の特徴ではないので、具体的手段及び詳細な構成については省略する。
【０２１６】
また、本発明に係る制御部２は、施錠機構を施錠する鍵（キー）とは別体として説明したが、これに限らず、制御部２は、鍵（キー）を含んでいてもよい。
【０２１７】
また、説明の便宜上、一例として、本実施例において係る施錠監視システムを家屋と車両に適用した場合について、説明したがこれに限らず、複数の施錠機構を有する例えば、集合住宅（マンション）等に適用可能である。但し、本実施形態を例に説明する本発明は、これらに限定されない。
【０２１８】
このように本実施の形態に係る施錠監視システム１ｃによれば、上述した第１乃至第３の実施形態において説明した効果を享受できると共に、さらに、第３の実施形態にて説明した施錠監視システム１ｂを家屋ドアや車両ドア等に利用して実現することができる。
【０２１９】
尚、上述した各実施形態およびその実施例の一部又は全部は、以下の付記のようにも記載されうる。しかしながら、上述した実施形態及びその実施例により例示的に説明した本発明は、以下には限らない。即ち、
（付記１）
第１の施錠機構の施錠状態を示す第１の施錠信号を受信するのに応じて、前記第１の施錠信号を送信する第１の通知部と、
前記第１の通知部との通信可能な範囲内において前記第１の施錠信号を受信するのに応じて、前記第１の施錠信号を第１の記憶部に保持し、該第１の記憶部に前記第１の施錠機構と異なる第２の施錠機構の施錠状態を示す第２の施錠信号の有無を判別し、前記第２の施錠信号が有った場合に、前記第２の施錠信号を送信する制御部とを備え、
前記第１の通知部は、
前記第２の施錠信号に基づいて、前記第２の施錠機構の施錠状態を判別し、解錠状態である場合に、前記第２の施錠機構が解錠状態であることを報知する第１の提示部を備えることを特徴とする施錠監視システム。
（付記２）
前記第１の通知部は、
前記第１の施錠信号を受信するのに応じて前記第１の施錠信号を保持し、
前記第２の施錠信号と該第２の施錠信号の受信状態とを保持する第２の記憶部を含み、
前記第１の通知部は、
前記制御部との通信可能な範囲外において、前記第２の記憶部に保持した前記第１の施錠信号に基づいて、前記第１の施錠機構の施錠状態を判別し、解錠状態である場合に、前記第１の施錠機構が解錠状態であることを報知することを特徴とする付記１に記載の施錠監視システム。
（付記３）
前記第１の提示部は、
警告音によって、前記第１及び前記第２の施錠機構の解錠状態を報知することを特徴とする付記１または付記２に記載の施錠監視システム。
（付記４）
前記第１の通知部は、
前記第１の施錠信号を所定の時間周期毎に、前記制御部に送信することを特徴とする付記１乃至付記３の何れかに記載の施錠監視システム。
（付記５）
前記施錠監視システムは、
前記第１の通知部と異なる１つ乃至複数の通知部を有することを特徴とする付記１乃至付記４の何れかに記載の施錠監視システム。
（付記６）
前記第１及び前記第２の施錠信号は、
施錠機構の施錠または解錠の何れか一方の施錠状態を示すことを特徴とする付記１乃至付記５の何れかに記載の施錠監視システム。
（付記７）
前記施錠監視システムは、
前記第１の通知部と異なる前記通知部から前記第２の施錠信号を取得することを特徴とする付記５に記載の施錠監視システム。
（付記８）
前記第１の通知部は、車両に設置した際に、インジケータを点灯することよって前記第１の施錠機構が解錠状態を報知することを特徴とする付記１乃至付記７の何れかに記載の施錠監視システム。
（付記９）
前記施錠監視システムは、車両に設置した際に、キーレスエントリーシステムの機能を有することを特徴とする付記１乃至付記８の何れかに記載の施錠監視システム。
（付記１０）
制御部と第１の通知部との通信可能な範囲内において第１の施錠機構の施錠状態を示す第１の施錠信号を受信するのに応じて、前記第１の通知部から前記第１の施錠信号を送信し、
前記第１の施錠信号を受信するのに応じて、前記第１の施錠信号を第１の記憶部に保持し、該第１の記憶部に前記第１の施錠機構と異なる第２の施錠機構の施錠状態を示す第２の施錠信号の有無を判別し、前記第２の施錠信号が有った場合に、前記制御部から前記第２の施錠信号を送信し、
前記第２の施錠信号に基づいて、前記第２の施錠機構の施錠状態を判別し、解錠状態である場合に、前記第１の通知部によって前記第２の施錠機構が解錠状態であることを報知することを特徴とする施錠監視方法。
（付記１１）
前記第１の施錠信号を受信するのに応じて前記第１の施錠信号を第２の記憶部に保持し、
前記第２の施錠信号と該第２の施錠信号の受信状態とを前記第２の記憶部に保持し、
前記制御部と前記第１の通知部との通信可能な範囲外において、前記第２の記憶部に保持した前記第１の施錠信号に基づいて、前記第１の施錠機構の施錠状態を判別し、解錠状態である場合に、前記第１の施錠機構が解錠状態であることを報知することを特徴とする付記１０に記載の施錠監視方法。
（付記１２）
警告音によって、前記第１及び前記第２の施錠機構の解錠状態を報知することを特徴とする付記１０または付記１１に記載の施錠監視方法。
【符号の説明】
【０２２０】
１    施錠監視システム
１ａ    施錠監視システム
１ｂ    施錠監視システム
１ｃ    施錠監視システム
２    制御部
３    第１の通知部
４    第１の記憶部
５    第１の提示部
１０    第１の通知部
１１    第２の記憶部
２０    第２の通知部
２１    第２の提示部
２２    第３の記憶部
３０    家屋
３１    車両
３２    インジケータ
１０１    第１の施錠信号
１０２    第２の施錠信号
【図１】
2014001520.tif 000003
【図２】
2014001520.tif 000004
【図３】
2014001520.tif 000005
【図４】
2014001520.tif 000006
【図５】
2014001520.tif 000007
【図６】
2014001520.tif 000008
【図７】
2014001520.tif 000009